(57)【要約】【課題】            偏光依存利得と偏光依存損失による影響だけでなく、偏光モード分散により生じるシステム劣化を最小化するための方法及び装置を提供する。【解決手段】        １つのビット内に２つの垂直した偏光成分を同時に持つように信号を変調して偏光程度を最小化し、偏光モード分散が行われる場合、ＮＲＺ信号がＲＺ信号に変わるようにすることによって、偏光モード分散によるビット間の干渉を低減する。従来の偏光モード分散補償技術で単に偏光モード分散によるシステム劣化を最小化したのとは違い、本発明の方法及び装置によれば、偏光モード分散を経ながら光信号の性能が改善されるさらに進歩的な効果が得られる。【選択図】          図１
2004312747.tif 000002
【特許請求の範囲】
【請求項１】
速い偏光軸及び遅い偏光軸を持つ光線路を含む光転送システムで光信号を転送する場合、偏光効果により発生するシステム劣化を低減するための方法において、
（ａ）前記光線路での偏光モード分散を補償するために、転送するに先立って送信端で光信号を１つのビット内で２つのお互い垂直する偏光成分を持つようにする第１段階と；
（ｂ）前記垂直する偏光成分のうち一つの偏光成分は前記光線路の速い偏光軸に入射させ、他の偏光成分は遅い偏光軸に入射させることによって偏光モード分散が行われる場合パルス幅が縮まる効果を利用して偏光モード分散の影響を抑える第２段階と；を備えることを特徴とするシステム劣化の低減方法。
【請求項２】
前記（ａ）段階が、
（ａ１）データ信号により駆動される第１強度変調器を利用して光源の出力をＮＲＺ信号に変調する段階と；
（ａ２）前記データ信号と同期化したクロック周波数信号で駆動される第２強度変調器を利用して前記ＮＲＺ信号をＲＺ信号に変調する段階と；
（ａ３）前記データ信号の周期の３０〜７０％に該当する差等群速度遅延を誘発する素子に、前記ＲＺ信号を基準偏光軸に対して４５度角度に入射させることによって、一方の偏光だけを前記データ信号の周期の３０〜７０％ほど遅延させる段階と；からなることを特徴とする請求項１に記載のシステム劣化の低減方法。
【請求項３】
前記（ａ３）段階で、前記差等群速度遅延誘発素子が偏光保持光ファイバであることを特徴とする請求項２に記載のシステム劣化の低減方法。
【請求項４】
前記（ａ）段階が、
（ａ１）データ信号により駆動される強度変調器を利用して光源の出力をＮＲＺ信号に変調する段階と；
（ａ２）前記データ信号と同期化したクロック周波数信号で駆動される 偏光変調器を利用して前記ＮＲＺ信号を、１ビットの３０〜７０％ほど偏光された編光信号に戻す段階と；からなり、送信端の出力光信号が１つのビット内で２つの偏光を同時に持つようにしたこと特徴とする請求項１に記載のシステム劣化の低減方法。
【請求項５】
前記（ａ）段階で、信号の偏光程度を最小化し、偏光モード分散により偏光程度が増加することを抑えるために、隣接ビット間に２つの垂直する偏光成分（各々は２つのサブ偏光成分からなる）のいずれかに含まれる一つのサブ偏光成分が残る一つのサブ偏光成分と同一な位相を持ち、残る一つの偏光成分に含まれる一つのサブ偏光成分は対応する残る一つのサブ偏光成分と異なる位相を持つように信号が変調されることを特徴とする請求項１に記載のシステム劣化の低減方法。
【請求項６】
前記（ａ）段階が、
（ａ１）データ信号により駆動される第１強度変調器を利用して光源の出力をＮＲＺ信号に変調する段階と；
（ａ２）前記データ信号と同期化したクロック周波数信号で駆動される第２強度変調器を利用して前記ＮＲＺ信号をＲＺ信号に変調する段階と；
（ａ３）前記クロック周波数信号の半に該当する矩形波または正弦波で駆動される 偏光変調器を利用して、前記ＲＺ信号の各隣接ビットがお互い垂直する偏光状態を持つように１ビットおきに偏光を変える段階と；
（ａ４）前記データ信号の周期の３０〜７０％に該当する差等群速度遅延を誘発する素子に、前記（ａ３）段階で発生させた各ビット別に偏光変調されたＲＺ信号を各ビットが全て基準偏光軸に対して４５度角度に入射されるようにして各ビットを再び２つの偏光成分に分けた後、一方の偏光成分だけを前記データ信号周期の３０〜７０%ほど遅延させる段階と；からなり、１つのビット内で２つの偏光を同時に持ちながら、これら２つの偏光成分のうち一つは隣接ビットと同位相を持ち、他の偏光成分は隣接ビットと反対の位相を持つようにしたことを特徴とする請求項５に記載のシステム劣化の低減方法。
【請求項７】
偏光効果によるシステム劣化の低減装置において、
光源と；
データ信号により作動され、前記光源からの出力をＮＲＺ信号に変調する第１強度変調器と；
前記データ信号と同期化したクロック周波数信号で駆動され、前記変調されたＮＲＺ信号をＲＺ信号に変調する第２強度変調器と；
前記クロック信号の半クロック周波数を持つ信号で駆動され、前記変調されたＲＺ信号を各隣接ビットがお互い垂直する編光を持つように変える 偏光変調器と；
前記偏光スクランブリングされた信号の偏光方向が自分の偏光軸に４５度角度で調節された状態で入射されるようにして偏光による群速度差を発生させる偏光保持光ファイバと；
前記 偏光変調器と偏光保持光ファイバとの間に位置して偏光スクランブリングされた信号の偏光方向を調節する送信端側偏光調節器と；からなる送信端を備えることを特徴とするシステム劣化の低減装置。
【請求項８】
偏光効果によるシステム劣化の低減装置において、
光源と；
データ信号により作動され、前記光源からの出力をＮＲＺ信号に変調する第１強度変調器と；
前記データ信号と同期化したクロック周波数信号で駆動され、前記変調されたＮＲＺ信号をＲＺ信号に変調する第２強度変調器と；
前記変調されたＲＺ信号の偏光方向が自分の偏光軸に４５度角度に調節された状態で入射されるようにして偏光による群速度差を発生させる偏光保持光ファイバと；
前記第２強度変調器と偏光保持光ファイバとの間に位置して前記変調されたＲＺ信号の偏光方向を調節する送信端側偏光調節器と；からなる送信端を備えることを特徴とするシステム劣化の低減装置。
【発明の詳細な説明】
【技術分野】
【０００１】
本発明は、光通信方法及び装置に関し、さらに詳細には、光通信システムに発生する偏光効果によるシステム劣化を低減させる方法及び装置に関する。
【背景技術】
【０００２】
光通信システムの転送速度が増加し、転送距離が増えるにつれて偏光効果により発生する各種現象がシステムの性能を阻害する重要な要因として台頭しつつある。例えば、エルビウムの添加された光ファイバー増幅器（ＥＤＦＡ：Ｅｒｂｉｕｍ‐Ｄｏｐｅｄ  ｆｉｂｅｒ  ａｍｐｌｉｆｉｅｒ）を利用した長距離光通信網では、偏光依存利得（ＰＤＧ：ｐｏｌａｒｉｚａｔｉｏｎ‐ｄｅｐｅｎｄｅｎｔ  ｇａｉｎ）と偏光依存損失（ＰＤＬ：ｐｏｌａｒｉｚａｔｉｏｎ‐ｄｅｐｅｎｄｅｎｔ  ｌｏｓｓ）によって光信号対雑音比が悪くなり、システムの性能が深刻に制限されることが知られている。このような問題点は、転送される光信号の偏光程度（ＤＯＰ：ｄｅｇｒｅｅ  ｏｆ  ｐｏｌａｒｉｚａｔｉｏｎ）を下げることによってだいぶ改善され、このため、転送端で信号の偏光をスクランブリング（ｓｃｒａｍｂｌｉｎｇ）する方法が一般的に提案されてきている。しかし、偏光スクランブリングは、信号の偏光状態を垂直した２つの偏光状態に均一に分布させるので、偏光モード分散（ＰＭＤ：ｐｏｌａｒｉｚａｔｉｏｎ‐ｍｏｄｅ  ｄｉｓｐｅｒｓｉｏｎ）による影響を増加させてしまう。したがって、超高速長距離光通信システムの性能を保障するためには、偏光スクランブリングに加えて適宜な偏光モード分散補償が行われる必要がある。
【０００３】
そこで、 特許協力条約（ＰＣＴ）に基づく国際出願ＷＯ  ０１／６５７３３号に開示された技術では、偏光モード分散の補償のために送信端から信号を光線路の基準偏光軸のうち一つに印加する方法を利用したが、これは、単に、偏光モード分散による影響を低減する効果に留まり、偏光効果による光信号の劣化問題を能動的に解決するには足りなかった。したがって、偏光モード分散による影響を低減するだけでなく、偏光モード分散を通じて信号の性能も改善でき、偏光効果によるシステム劣化を有効に低減させられる方法及び装置が切に要求されている実情にある。
【特許文献１】ＰＣＴ国際出願ＷＯ ０１／６５７３３号
【発明の開示】
【発明が解決しようとする課題】
【０００４】
本発明は、上記の問題点に鑑みてなされたものであり、偏光モード分散などの偏光効果による光信号強度の減衰が起こらなく、むしろ受信感度利得が得られるシステム劣化の低減方法及び装置を提供することにその目的がある。
【０００５】
本発明の他の目的は、偏光モード分散によってＤＯＰが増加するのを有効に抑えて低いＤＯＰを保持できる、偏光効果によるシステム劣化の低減方法及び装置を提供することにある。
【課題を解決するための手段】
【０００６】
上記の目的を達成するために、本発明のシステム劣化低減方法は、速い偏光軸及び遅い偏光軸を持つ光線路を含む光転送システムで光信号を転送する場合、偏光効果により発生するシステム劣化を低減するための方法であって、（ａ）前記光線路での偏光モード分散を補償するために、転送するに先立って送信端で光信号を１つのビット内で２つのお互い垂直する偏光成分を持つようにする第１段階と；（ｂ）前記垂直する偏光成分のうち一つの偏光成分は前記光線路の速い偏光軸に入射させ、他の偏光成分は遅い偏光軸に入射させることによって偏光モード分散が行われる場合パルス幅が縮まる効果を利用して偏光モード分散の影響を抑える第２段階と；を備えることを特徴とする。
【０００７】
本発明の一実施例の方法によれば、前記（ａ）段階が、（ａ１）データ信号により駆動される第１強度変調器を利用して光源の出力をＮＲＺ信号に変調する段階と；（ａ２）前記データ信号と同期化したクロック周波数信号で駆動される第２強度変調器を利用して前記ＮＲＺ信号をＲＺ信号に変調する段階と；（ａ３）前記データ信号の周期の３０〜７０％に該当する差等群速度遅延を誘発する素子に、前記ＲＺ信号を基準偏光軸に対して４５度角度に入射させることによって、一方の偏光だけを前記データ信号の周期の３０〜７０％ほど遅延させる段階と；からなることを特徴とする。
【０００８】
このとき、前記（ａ３）段階において前記差等群速度遅延誘発素子が偏光保持光ファイバであると好ましい。
【０００９】
本発明の他の実施例による方法によれば、前記（ａ）段階が、（ａ１）データ信号により駆動される強度変調器を利用して光源の出力をＮＲＺ信号に変調する段階と；（ａ２）前記データ信号と同期化したクロック周波数信号で駆動される 偏光変調器を利用して前記ＮＲＺ信号を、１ビットの３０〜７０％ほど偏光された編光信号に戻す段階と；からなり、送信端の出力光信号が１つのビット内で２つの偏光を同時に持つようにする。
【００１０】
本発明のさらに他の実施例の方法では、前記（ａ）段階で、信号の偏光程度を最小化し、偏光モード分散により偏光程度が増加することを抑えるために、隣接ビット間に２つの垂直する偏光成分（各々は２つのサブ偏光成分からなる）のいずれかに含まれる一つのサブ偏光成分が残る一つのサブ偏光成分と同一な位相を持ち、残る一つ偏光成分に含まれる一つのサブ偏光成分は対応する残る一つのサブ偏光成分と異なる位相を持つように信号が変調されることが好ましい。
【００１１】
この場合、前記（ａ）段階が、（ａ１）データ信号により駆動される第１強度変調器を利用して光源の出力をＮＲＺ信号に変調する段階と；（ａ２）前記データ信号と同期化したクロック周波数信号で駆動される第２強度変調器を利用して前記ＮＲＺ信号をＲＺ信号に変調する段階と；（ａ３）前記クロック周波数信号の半に該当する矩形波または正弦波で駆動される 偏光変調器を利用して、前記ＲＺ信号の各隣接ビットがお互い垂直する偏光状態を持つように１ビットおきに偏光を変える段階と；（ａ４）前記データ信号の周期の３０〜７０％に該当する差等群速度遅延を誘発する素子に、前記（ａ３）段階で発生させた各ビット別に偏光変調されたＲＺ信号を各ビットが全て基準偏光軸に対して４５度角度に入射されるようにして各ビットを再び２つの偏光成分に分けた後、一方の偏光成分だけを前記データ信号周期の３０〜７０%ほど遅延させる段階と；からなり、１つのビット内で２つの偏光を同時に持ちながら、これら２つの偏光成分のうち一つは隣接ビットと同位相を持ち、他の偏光成分は隣接ビットと反対の位相を持つようにするとさらに好ましい。
【００１２】
本発明の一実施例による、偏光効果によるシステム劣化の低減装置は、光源と；データ信号により作動され、前記光源からの出力をＮＲＺ信号に変調する第１強度変調器と；前記データ信号と同期化したクロック周波数信号で駆動され、前記変調されたＮＲＺ信号をＲＺ信号に変調する第２強度変調器と；前記クロック信号の半クロック周波数を持つ信号で駆動され、前記変調されたＲＺ信号を各隣接ビットがお互い垂直する編光を持つように変える 偏光変調器と；前記偏光スクランブリングされた信号の偏光方向が自分の偏光軸に４５度角度で調節された状態で入射されるようにして偏光による群速度差を発生させる偏光保持光ファイバと；前記 偏光変調器と偏光保持光ファイバとの間に位置して偏光スクランブリングされた信号の偏光方向を調節する送信端側偏光調節器と；からなる送信端を備えることを特徴とする。
【００１３】
本発明の他の実施例による、偏光効果によるシステム劣化の低減装置は、光源と；データ信号により作動され、前記光源からの出力をＮＲＺ信号に変調する第１強度変調器と；前記データ信号と同期化したクロック周波数信号で駆動され、前記変調されたＮＲＺ信号をＲＺ信号に変調する第２強度変調器と；前記変調されたＲＺ信号の偏光方向が自分の偏光軸に４５度角度に調節された状態で入射されるようにして偏光による群速度差を発生させる偏光保持光ファイバと；前記第２強度変調器と偏光保持光ファイバとの間に位置して前記変調されたＲＺ信号の偏光方向を調節する送信端側偏光調節器と；からなる送信端を備えることを特徴とする。
【００１４】
本発明のさらに他の実施例による、偏光効果によるシステム劣化の低減装置は、光源と；データ信号により作動され、前記光源からの出力をＮＲＺ信号に変調する第１強度変調器と；前記データ信号と同期化したクロック周波数信号で駆動され、前記変調されたＮＲＺ信号が一つのビット内で２つの垂直した偏光成分を同時に有するように偏光変調する 偏光変調器と；前記偏光変調されたＮＲＺ信号の偏光方向を調節する送信端側偏光調節器と；からなる送信端を備えることを特徴とする。
【発明の効果】
【００１５】
本発明によれば、偏光依存利得、偏光依存損失及び偏光モード分散によるシステム劣化を同時に低減できるだけでなく、偏光モード分散によって信号の偏光程度が再び増加することを有効に抑えられる。さらに、偏光モード分散が行われる場合、信号の波形がＮＲＺからＲＺに変換され、むしろ受信感度を改善させられるので偏光モード分散によるシステム劣化を最小化することができる。
【発明を実施するための最良の形態】
【００１６】
以下、本発明の好ましい実施例を添付図面を参照しつつ詳細に説明する。
【００１７】
図１は、偏光モード分散及び偏光依存利得、そして偏光依存損失などあらゆる偏光効果によるシステム劣化を低減するための本発明の一実施例の方法の原理を示す概略構成図である。この方法では、光信号の偏光程度を最小化するために、送信端でＮＲＺ（Non Return to Zero）信号の偏光を１つのビット内でお互い垂直する編光を持つ２つの部分に分けた。したがって、Ａｘ（または、Ｂｘ）とＡｙ（またはＢｙ）は、お互い垂直する偏光状態を持つようになる。また、ＡｘとＢｘの位相をお互い反対にさせることによって偏光モード分散により信号の偏光程度が再び増加することを防止した。この時、ＡｘとＢｘの位相が同一なら、偏光モード分散（Polarization Mode Dispersion）を起こす光線路１１０を進行しながら偏光モード分散が行われ、ＡｘとＡｙが重なってなる部分とＢｘとＢｙが重なってなる部分の偏光が一致することから、信号の偏光程度は益々増加してしまう。しかし、本発明の方法では、このような偏光モード分散により重なる部分がお互い反対の偏光を持つようになるので、偏光程度が増加するのを有効に抑えられる。偏光モード分散により起こるビット間の相互干渉をなくすために自動偏光調節器１００が設けられ、この自動偏光調節器１００は、送信端から出る信号光が、Ａｘ（または、Ｂｘ）は光転送線路の遅い偏光軸に、Ａｙ（または、Ｂｙ）は速い偏光軸に入射されるようにする。したがって、光転送線路上で偏光モード分散が行われる場合、Ａｘ（または、Ｂｘ）とＡｙ（または、Ｂｙ）がお互い重なることからＮＲＺ信号がＲＺ（Ｒｅｔｕｒｎ  ｔｏ  Ｚｅｒｏ）信号に変換される。この方法によれば、偏光モード分散によるビット間の相互干渉が避けられる以外に、ＮＲＺ信号をＲＺ信号に変換させるので、偏光モード分散が行われるとむしろ受信感度が改善される。一方、光線路１１０を進行した光信号は、光学タップ（ｏｐｔｉｃａｌ  ｔａｐ）１２０によりその一部がモニタ１３０に分岐され、モニタリングされる。モニタリングされたデータは、制御チャネル（ｃｏｎｔｒｏｌ  ｃｈａｎｎｅｌ）１４０を通じて制御部１５０に伝達され、この制御部１５０により自動偏光調節器１００が戻り制御 （ｆｅｅｄ‐ｂａｃｋ  ｃｏｎｔｒｏｌ）される。
【００１８】
図２は、本発明の一実施例による装置、特に、送信端の概略的構成図である。図２に示すように、光源のレーザーダイオード２００の出力は、データ信号に応じて作動する第１強度変調器（ｉｎｔｅｎｓｉｔｙ  ｍｏｄｕｌａｔｏｒ）２１０によりＮＲＺ信号に変調される。変調された信号は、データ信号と同期化したクロック周波数（ｃｌｏｃｋ  ｆｒｅｑｕｅｎｃｙ）信号で駆動される第２強度変調器２２０により再び変調されてＲＺ信号に変わる。このＲＺ信号は、クロック信号の半クロック周波数（ｈａｌｆ  ｃｌｏｃｋ  ｆｒｅｑｕｅｎｃｙ）を持つ信号で駆動される 偏光変調器２３０により各隣接ビットがお互い垂直する編光を持つように変調される。このように偏光スクランブリングされた信号は、その偏光方向が送信端側偏光調節器２４０により偏光保持光ファイバ（ＰＭＦ：ｐｏｌａｒｉｚａｔｉｏｎ  ｍａｉｎｔａｉｎｉｎｇ  ｆｉｂｅｒ）２５０の偏光軸に４５度角度に調節された状態で偏光保持光ファイバ２５０に入射される。偏光保持光ファイバ２５０は、偏光による群速度差を発生させるので、これにより各ビットが２つの偏光成分に分けられた後、一方の偏光成分だけが１／２ビットぐらい遅れた光信号を送信端の出力信号として得るようになる。
【００１９】
図３は、本発明の方法の有効性を立証するための実験の構成図を示す。図面中、同一の構成要素には同一の参照符号をつけ、重複した説明は省略するものとする。図３に示す実験装置は、図２に示した送信端がそのまま含まれており、それに加えて第１及び第２強度変調器２１０、２２０と 偏光変調器２３０を駆動するためのデータ信号、クロック周波数信号及び半クロック周波数信号を生成するために使用されるパターン生成器３００、周波数分配器（ｆｒｅｑｕｅｎｃｙ  ｄｉｖｉｄｅｒ）３１０、位相遅延器３２０が含まれている。また、図３の装置は、図１の１次偏光モード分散（ＰＭＤ）を持つ光線路１１０を模写するために１次ＰＭＤエミュレータ２６０を設置したし、ここから出力された信号が受信器２７０に入力されるようにするとともに、通信分析器（ｃｏｍｍｕｎｉｃａｔｉｏｎ  ａｎａｌｙｚｅｒ）２８０と偏光分析器２９０により分析されるようにした。
【００２０】
次に、このように構成される実験装置の動作を説明する。まず、レーザーダイオード２００の出力は、第１強度変調器２１０により１０Ｇｂ／ｓのＮＲＺ信号（ＰＲＢＳ（Ｐｓｅｕｄｏ  Ｒａｎｄｏｍ  Ｂｉｎａｒｙ  Ｓｉｇｎａｌ）：２３１−１）に変調される。この１０Ｇｂ／ｓのＮＲＺ信号は、第２強度変調器２２０によりＲＺ信号に変換される。次いで、このＲＺ信号は、リチウムニオベート（ＬｉＮｂＯ３） 偏光変調器２３０により各隣接ビットがお互い垂直した編光を持つように変調される。本実験では、第１及び第２強度変調器２１０、２２０としてＬｉＮｂＯ３外部変調器を利用した。偏光スクランブリングされた信号は、送信端側偏光調節器２４０を経て偏光保持光ファイバ（ＰＭＦ）２５０に４５度角度に入射され各ビットが２つの偏光成分に分けられた後、一方の偏光成分だけが半ビットほど遅延された。本発明の方法で変調された信号の受信感度を一般のＮＲＺ信号と同一にするため、偏光保持光ファイバの差等群速度遅延（ＤＧＤ：ｄｉｆｆｅｒｅｎｔｉａｌ  ｇｒｏｕｐ  ｄｅｌａｙ）値が３４ｐｓとなるようにした。偏光保持光ファイバ２５０を通過した信号光は、自分の偏光方向を光線路模写用１次ＰＭＤエミュレータ２６０の偏光軸に合わせるための偏光調節器１００を経て１次ＰＭＤエミュレータ２６０に入射される。１次ＰＭＤエミュレータ２６０を通過した光信号は受信器２７０に入力されるとともに、通信分析器２８０と偏光分析器２９０により分析される。このように１次偏光モード分散を経た後、光信号の受信感度（ビットエラー率が１０−９の場合に測定）と偏光程度を測定し、図４ないし図６に示した。
【００２１】
図４は、差等群速度遅延値（ＤＧＤ）を０ｐｓから１２０ｐｓまで変えながら測定した受信感度を示す。差等群速度遅延値が１０Ｇｂ／ｓ信号の１周期である１００ｐｓ以下である場合、受信感度（Ｐｏｗｅｒ  ｐｅｎａｌｔｙ）が最大１．３ｄＢまで改善されたことがわかる。これは、この区間で偏光モード分散によりＮＲＺ信号がＲＺ信号に変わったからである。
【００２２】
図５は、様々な差等群速度遅延値における信号のアイ（ｅｙｅ）形状を示す図である。差等群速度遅延値が０ｓの場合、信号のアイ形状が一般のＮＲＺ信号とほぼ同一であることがわかる。しかし、差等群速度遅延値が５０ｐｓの場合には信号がＲＺ信号に変換された。したがって、偏光モード分散によりむしろ信号の受信感度が良好になる結果が得られた。差等群速度遅延値が１００ｐｓを超える場合、信号のアイが次第に閉じ、ビット間の相互干渉が起こり始まるので、受信感度は悪くなる。
【００２３】
図６は、差等群速度遅延値による偏光程度の変化を示すグラフである。本発明の方法と従来の偏光スクランブリング方法とを比較するため、同期化したクロック周波数を利用した偏光スクランブリング方法の場合に対しても偏光モード分散による偏光程度を測定した。図６を参照すれば、従来の偏光スクランブリング方法では差等群速度遅延値が増加するにつれて偏光程度が最大７０％まで増加している。これは、スクランブリングにより分けられた２つの偏光成分が偏光モード分散により再び重なり、１つの偏光成分を持つからである。しかし、本発明の方法を使用する場合には、差等群速度遅延値に関係なく信号の偏光程度を２５％以内に保持することができた。
【００２４】
図７は、偏光モード分散だけを補償するために送信端を簡略化した本発明の他の実施例による方法の原理を示す概略構成図である。図７の構成は、ＡｘとＢｘの位相が同一であることを除いて図１に示した構成と同一である。一般に光線路の長さがあまりにも長くないと、偏光依存利得と偏光依存損失による光信号対雑音比の減少効果は無視してもいい程度である。したがって、この場合には偏光モード分散によるシステム劣化が全体システムの性能を制限する最も大きな要因となる。したがって、図７のようにＡｘとＢｘの位相を同一にすることによって送信端を簡単にさせることができる。偏光モード分散により発生するビット間の相互干渉をなくすために、送信端の次に自動偏光調節器１００を設け、Ａｘ（または、Ｂｘ）は光転送線路の遅い偏光軸に、Ａｙ（または、Ｂｙ）は速い偏光軸に入射されるようにした。
【００２５】
図８は、図７に説明された方法を具現するための本発明の他の実施例による装置を示す概略構成図である。図８を参照すれば、光源のレーザーダイオード２００の出力は、データ信号に応じて作動する第１強度変調器２１０によりＮＲＺ信号に変調される。変調された信号は、データ信号と同期化したクロック周波数信号で駆動される第２強度変調器２２０により再び変調されてＲＺ信号に変わる。このＲＺ信号は、その偏光方向が送信端側の偏光調節器２４０により偏光保持光ファイバ２５０の偏光軸に４５度角度に調節された状態で偏光保持光ファイバ２５０に入射される。偏光保持光ファイバ２５０は、偏光による群速度差を発生させ、これにより各ビットが２つの偏光成分に分けられた後、一方の偏光成分だけが半ビットほど遅れた光信号を送信端の出力信号として得るようになる。
【００２６】
図９は、図７に説明された方法を具現するための本発明のさらに他の実施例による装置を示す概略構成図である。図９を参照すれば、光源のレーザーダイオード２００の出力はデータ信号に応じて作動する第１強度変調器２１０によりＮＲＺ信号に変調される。変調された信号は、データ信号と同期化したクロック周波数信号で駆動される 偏光変調器２３０により１つのビット内で２つの偏光成分を同時に持つように偏光変調される。このように偏光変調されたＮＲＺ信号の偏光方向は、送信端側の偏光調節器２４０により調節される。
【００２７】
以上では、本発明を具体的な実施例を挙げて説明してきたが、本発明は上記の実施例に限定されず、本発明の技術思想を外れない範囲内で当分野で通常の知識を持つ者にとって様々に変形可能であることは自明である。
【図面の簡単な説明】
【００２８】
【図１】偏光モード分散、偏光依存利得、そして偏光依存損失などあらゆる偏光効果によるシステム劣化を低減するための本発明の一実施例の方法の原理を示す概略構成図。
【図２】本発明の一実施例による装置、特に送信端の概略構成図。
【図３】本発明の方法の有効性を立証するための実験構成図。
【図４】図３の実験構成で差等群速度遅延値を変えながら測定した受信感度を示すグラフ。
【図５】図３の実験構成で様々な差等群速度遅延値に従う信号のアイ（ｅｙｅ）形状を示す図。
【図６】図３の実験構成で差等群速度遅延値に従う偏光程度の変化を示すグラフ。
【図７】偏光モード分散だけを補償するために送信端を簡略化した、本発明の他の実施例による方法の原理を示す概略構成図。
【図８】図７に説明された方法を具現するための本発明の他の実施例による装置を示す概略構成図。
【図９】図７に説明された方法を具現するための本発明のさらに他の実施例による装置を示す概略構成図。
【符号の説明】
【００２９】
１００：自動偏光調節器
１１０：光線路
１２０：光学タップ
１３０：モニタ
１４０：制御チャネル
１５０：制御部
【図１】
2004312747.tif 000003
【図２】
2004312747.tif 000004
【図３】
2004312747.tif 000005
【図４】
2004312747.tif 000006
【図５】
2004312747.tif 000007
【図６】
2004312747.tif 000008
【図７】
2004312747.tif 000009
【図８】
2004312747.tif 000010
【図９】
2004312747.tif 000011